(57)【要約】【課題】放送波または通信回線により番組を提供するシステムにおいて、より優れたサービスを提供する。【解決手段】コンテンツ提供装置は、音声およびコンテンツを含む一般送信データを受信する受信機からカスタマイズ用のコンテンツ要求を受ける受付部と、前記受付部が受けた前記コンテンツ要求の内容に応じてカスタマイズ用のコンテンツを抽出し、前記受信機に提供する提供部とを備え、前記カスタマイズ用のコンテンツは、前記受信機において前記一般送信データの前記コンテンツと差し替えられる。【選択図】図１
2019012959.tif 000002
【特許請求の範囲】
【請求項１】
音声およびコンテンツを含む一般送信データを受信する受信機からカスタマイズ用のコンテンツ要求を受ける受付部と、
前記受付部が受けた前記コンテンツ要求の内容に応じてカスタマイズ用のコンテンツを抽出し、前記受信機に提供する提供部とを備え、
前記カスタマイズ用のコンテンツは、前記受信機において前記一般送信データの前記コンテンツと差し替えられる、コンテンツ提供装置。
【請求項２】
前記コンテンツ要求は、前記受信機の位置、および前記受信機のユーザに関する情報の少なくともいずれか一方を示す、請求項１に記載のコンテンツ提供装置。
【請求項３】
コンテンツ提供装置におけるコンテンツ提供方法であって、
音声およびコンテンツを含む一般送信データを受信する受信機からカスタマイズ用のコンテンツ要求を受けるステップと、
受けた前記コンテンツ要求の内容に応じてカスタマイズ用のコンテンツを抽出し、前記受信機に提供するステップとを含み、
前記カスタマイズ用のコンテンツは、前記受信機において前記一般送信データの前記コンテンツと差し替えられる、コンテンツ提供方法。
【請求項４】
コンテンツ提供装置において用いられるコンテンツ提供プログラムであって、
コンピュータを、
音声およびコンテンツを含む一般送信データを受信する受信機からカスタマイズ用のコンテンツ要求を受ける受付部と、
前記受付部が受けた前記コンテンツ要求の内容に応じてカスタマイズ用のコンテンツを抽出し、前記受信機に提供する提供部、
として機能させるためのプログラムであり、
前記カスタマイズ用のコンテンツは、前記受信機において前記一般送信データの前記コンテンツと差し替えられる、コンテンツ提供プログラム。
【発明の詳細な説明】
【技術分野】
【０００１】
本発明は、コンテンツ提供装置、コンテンツ提供方法およびコンテンツ提供プログラムに関する。
【背景技術】
【０００２】
近年、放送波または通信回線を使用して音声、映像およびデータ等のストリーミング配信またはダウンロード配信を行うマルチメディア放送が実施されている（たとえば、非特許文献１（“ウィキペディア”、［ｏｎｌｉｎｅ］、［平成２９年６月１３日検索］、インターネット〈ＵＲＬ：ｈｔｔｐｓ：／／ｊａ．ｗｉｋｉｐｅｄｉａ．ｏｒｇ／ｗｉｋｉ／マルチメディア放送〉）参照）。
【０００３】
このようなマルチメディア放送において、インターネットラジオおよびインターネットテレビ等、インターネットプロトコルを使用し、放送を模した番組を提供するサービスが実施されている（たとえば、非特許文献２（“ウィキペディア”、［ｏｎｌｉｎｅ］、［平成２９年６月１３日検索］、インターネット〈ＵＲＬ：ｈｔｔｐｓ：／／ｊａ．ｗｉｋｉｐｅｄｉａ．ｏｒｇ／ｗｉｋｉ／インターネット放送〉）参照）。
【先行技術文献】
【非特許文献】
【０００４】
【非特許文献１】“ウィキペディア”、［ｏｎｌｉｎｅ］、［平成２９年６月１３日検索］、インターネット〈ＵＲＬ：ｈｔｔｐｓ：／／ｊａ．ｗｉｋｉｐｅｄｉａ．ｏｒｇ／ｗｉｋｉ／マルチメディア放送〉
【非特許文献２】“ウィキペディア”、［ｏｎｌｉｎｅ］、［平成２９年６月１３日検索］、インターネット〈ＵＲＬ：ｈｔｔｐｓ：／／ｊａ．ｗｉｋｉｐｅｄｉａ．ｏｒｇ／ｗｉｋｉ／インターネット放送〉
【発明の概要】
【発明が解決しようとする課題】
【０００５】
このような放送波または通信回線により番組を提供するシステムにおいて、より優れたサービスを提供可能な技術が望まれる。
【０００６】
この発明は、上述の課題を解決するためになされたもので、その目的は、放送波または通信回線により番組を提供するシステムにおいて、より優れたサービスを提供可能なコンテンツ提供装置、コンテンツ提供方法およびコンテンツ提供プログラムを提供することである。
【課題を解決するための手段】
【０００７】
（１）上記課題を解決するために、この発明のある局面に係わるコンテンツ提供装置は、音声およびコンテンツを含む一般送信データを受信する受信機からカスタマイズ用のコンテンツ要求を受ける受付部と、前記受付部が受けた前記コンテンツ要求の内容に応じてカスタマイズ用のコンテンツを抽出し、前記受信機に提供する提供部とを備え、前記カスタマイズ用のコンテンツは、前記受信機において前記一般送信データの前記コンテンツと差し替えられる。
【０００８】
（３）上記課題を解決するために、この発明のある局面に係わるコンテンツ提供方法は、コンテンツ提供装置におけるコンテンツ提供方法であって、音声およびコンテンツを含む一般送信データを受信する受信機からカスタマイズ用のコンテンツ要求を受けるステップと、受けた前記コンテンツ要求の内容に応じてカスタマイズ用のコンテンツを抽出し、前記受信機に提供するステップとを含み、前記カスタマイズ用のコンテンツは、前記受信機において前記一般送信データの前記コンテンツと差し替えられる。
【０００９】
（４）上記課題を解決するために、この発明のある局面に係わるコンテンツ提供プログラムは、コンテンツ提供装置において用いられるコンテンツ提供プログラムであって、コンピュータを、音声およびコンテンツを含む一般送信データを受信する受信機からカスタマイズ用のコンテンツ要求を受ける受付部と、前記受付部が受けた前記コンテンツ要求の内容に応じてカスタマイズ用のコンテンツを抽出し、前記受信機に提供する提供部、として機能させるためのプログラムであり、前記カスタマイズ用のコンテンツは、前記受信機において前記一般送信データの前記コンテンツと差し替えられる。
【００１０】
本発明は、このような特徴的な処理部を備えるコンテンツ提供装置として実現することができるだけでなく、コンテンツ提供装置の一部または全部を実現する半導体集積回路として実現したり、コンテンツ提供装置を含むシステムとして実現したりすることができる。
【発明の効果】
【００１１】
本発明によれば、放送波または通信回線により番組を提供するシステムにおいて、より優れたサービスを提供することができる。
【図面の簡単な説明】
【００１２】
【図１】図１は、本発明の実施の形態に係る放送システムの一例の構成を示す図である。
【図２】図２は、本発明の実施の形態に係る放送システムにおけるコンテンツ提供のシーケンスの一例を示す図である。
【図３】図３は、本発明の実施の形態に係る受信機の構成を示す図である。
【図４】図４は、本発明の実施の形態に係るコンテンツ提供装置の構成を示す図である。
【図５】図５は、本発明の実施の形態に係る放送システムの他の例の構成を示す図である。
【発明を実施するための形態】
【００１３】
最初に、本発明の実施形態の内容を列記して説明する。
【００１４】
（１）本発明の実施の形態に係るコンテンツ提供装置は、音声およびコンテンツを含む一般送信データを受信する受信機からカスタマイズ用のコンテンツ要求を受ける受付部と、前記受付部が受けた前記コンテンツ要求の内容に応じてカスタマイズ用のコンテンツを抽出し、前記受信機に提供する提供部とを備え、前記カスタマイズ用のコンテンツは、前記受信機において前記一般送信データの前記コンテンツと差し替えられる。
【００１５】
このような構成により、音声番組の合間に提供される広告等のコンテンツを、受信機に関する情報に基づいてカスタマイズすることができるため、受信機ごとに適切な内容のコンテンツをユーザに提供することができる。したがって、放送波または通信回線により番組を提供するシステムにおいて、より優れたサービスを提供することができる。
【００１６】
（２）好ましくは、前記コンテンツ要求は、前記受信機の位置、および前記受信機のユーザに関する情報の少なくともいずれか一方を示す。
【００１７】
このような構成により、番組が提供される地域、当該地域の天候、ならびにユーザの性別および年齢等の属性に応じたより適切な内容のコンテンツをユーザに提供することができる。
【００１８】
（３）本発明の実施の形態に係るコンテンツ提供方法は、コンテンツ提供装置におけるコンテンツ提供方法であって、音声およびコンテンツを含む一般送信データを受信する受信機からカスタマイズ用のコンテンツ要求を受けるステップと、受けた前記コンテンツ要求の内容に応じてカスタマイズ用のコンテンツを抽出し、前記受信機に提供するステップとを含み、前記カスタマイズ用のコンテンツは、前記受信機において前記一般送信データの前記コンテンツと差し替えられる。
【００１９】
このような方法により、音声番組の合間に提供される広告等のコンテンツを、受信機に関する情報に基づいてカスタマイズすることができるため、受信機ごとに適切な内容のコンテンツをユーザに提供することができる。したがって、放送波または通信回線により番組を提供するシステムにおいて、より優れたサービスを提供することができる。
【００２０】
（４）本発明の実施の形態に係るコンテンツ提供プログラムは、コンテンツ提供装置において用いられるコンテンツ提供プログラムであって、コンピュータを、音声およびコンテンツを含む一般送信データを受信する受信機からカスタマイズ用のコンテンツ要求を受ける受付部と、前記受付部が受けた前記コンテンツ要求の内容に応じてカスタマイズ用のコンテンツを抽出し、前記受信機に提供する提供部、として機能させるためのプログラムであり、前記カスタマイズ用のコンテンツは、前記受信機において前記一般送信データの前記コンテンツと差し替えられる。
【００２１】
このような構成により、音声番組の合間に提供される広告等のコンテンツを、受信機に関する情報に基づいてカスタマイズすることができるため、受信機ごとに適切な内容のコンテンツをユーザに提供することができる。したがって、放送波または通信回線により番組を提供するシステムにおいて、より優れたサービスを提供することができる。
【００２２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２３】
図１は、本発明の実施の形態に係る放送システムの一例の構成を示す図である。
【００２４】
図１を参照して、放送システム３０１は、たとえば音声による番組をユーザに提供するシステムであり、一例としてＶ−Ｌｏｗマルチメディア放送を実現する。放送システム３０１は、コンテンツ提供装置１０１と、チューナ１５１と、受信機２０２とを備える。
【００２５】
局舎側から無線送信される放送信号は、音声放送領域およびデータ放送領域を有する一般送信データを含む。一般送信データは、たとえばＴＳ（Ｔｒａｎｓｐｏｒｔ  Ｓｔｒｅａｍ）の形式で伝送される。
【００２６】
チューナ１５１は、局舎側から受信した放送信号から一般送信データを抽出して受信機２０２へ送信する。
【００２７】
受信機２０２は、音声およびコンテンツを含む一般送信データを受信する。より詳細には、受信機２０２は、チューナ１５１から受信した一般送信データに含まれる音声放送領域のデータおよびデータ放送領域のデータに基づいて、たとえば音声出力を行うことにより番組の内容をユーザに提供する。受信機２０２は、たとえば、通信機能付き防災ラジオ等の通信可能なラジオ、通信機能付きカーナビ、スマートホン、およびタブレット等の端末装置である。このような音声出力は、たとえば受信機２０２に搭載された番組聴取用のアプリケーション（以下、聴取アプリケーションとも称する。）により実行される。
【００２８】
番組は、たとえば、音声放送領域のデータに含まれる音楽、トーク、一般広告、ならびにデータ放送領域のデータに含まれるＴＴＳ（Ｔｅｘｔ  Ｔｏ  Ｓｐｅｅｃｈ）広告により編成される。ＴＴＳ広告の内容は、ラジオの音声放送をＢＧＭ（Ｂａｃｋｇｒｏｕｎｄ  Ｍｕｓｉｃ）として、受信機２０２のＴＴＳ読み上げエンジンにより読み上げられる。  
【００２９】
また、データ放送領域のデータには、上記のような番組の編成内容を示す番組表が含まれ、当該番組表は、ＴＴＳ広告の時間帯を示す出力タイミング情報を含む。受信機２０２は、この出力タイミング情報を用いて、指定された時間においてＴＴＳ広告の読み上げを行うことができる。
【００３０】
以下、音声放送領域のデータによる番組の構成要素である音声に対して、データ放送領域のデータによる番組の構成要素をコンテンツと称する。
【００３１】
なお、放送システム３０１では、放送信号が局舎側から無線送信される構成であるとしたが、これに限定するものではない。放送システム３０１は、放送と同一内容を通信回線から取得可能なＩＰサイマル放送を実施するシステムであってもよい。
【００３２】
また、放送システム３０１は、ＴＴＳの仕組みを用いる構成に限らず、受信機２０２のユーザに対してコンテンツを出力可能な構成であればよい。
【００３３】
コンテンツ提供装置１０１は、通信回線すなわちインターネット等のネットワーク１６１を介して受信機２０２と通信可能である。
【００３４】
放送システム３０１における各装置は、コンピュータを備え、当該コンピュータにおけるＣＰＵ等の演算処理部は、以下のシーケンス図の各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００３５】
図２は、本発明の実施の形態に係る放送システムにおけるコンテンツ提供のシーケンスの一例を示す図である。
【００３６】
図２を参照して、まず、受信機２０２は、一般送信データを受信している状況において、データ放送領域のデータからＴＴＳ広告の出力タイミングを示す出力タイミング情報を取得し、当該出力タイミングの到来前、たとえば所定時間前において、カスタマイズ用のコンテンツ（以下、カスタマイズコンテンツとも称する。）を要求する旨のコンテンツ要求をネットワーク１６１経由でコンテンツ提供装置１０１へ送信する。このコンテンツ要求は、たとえば、受信機２０２の位置、および受信機２０２のユーザに関する情報（以下、ユーザ情報とも称する。）の少なくともいずれか一方を示す（ステップＳ１）。
【００３７】
次に、コンテンツ提供装置１０１は、受信機２０２からコンテンツ要求を受信して、蓄積されている種々の広告情報のコンテンツの中から、当該コンテンツ要求の内容に応じてコンテンツを抽出するコンテンツ抽出処理を行う（ステップＳ２）。
【００３８】
次に、コンテンツ提供装置１０１は、抽出したコンテンツをネットワーク１６１経由で受信機２０２へ送信することにより、カスタマイズコンテンツを受信機２０２に提供する（ステップＳ３）。
【００３９】
次に、受信機２０２は、コンテンツ提供装置１０１からカスタマイズコンテンツを受信して、一般送信データに含まれるＴＴＳ広告を、当該カスタマイズコンテンツに差し替える差し替え処理を行う（ステップＳ４）。
【００４０】
次に、受信機２０２は、ＴＴＳ広告の出力タイミングにおいて、差し替えたカスタマイズコンテンツを出力する。具体的には、図１に示すように、受信機２０２は、デフォルトのＴＴＳ広告の代わりに、カスタマイズ用のＴＴＳ広告を出力する（ステップＳ５）。
【００４１】
次に、受信機２０２は、カスタマイズコンテンツを出力した実績を示すログ情報をコンテンツ提供装置１０１へ送信する（ステップＳ６）。
【００４２】
なお、受信機２０２は、上記のようなコンテンツ要求を、必要に応じて１または複数回行う。受信機２０２は、コンテンツ要求を複数回行う場合、次回のコンテンツ要求とともに作成済みのログ情報をコンテンツ提供装置１０１へ送信してもよい。
【００４３】
図３は、本発明の実施の形態に係る受信機の構成を示す図である。
【００４４】
図３を参照して、受信機２０２は、要求部１１と、再生処理部１２と、受信部１３とを備える。
【００４５】
受信部１３は、チューナ１５１から一般送信データを受信し、再生処理部１２へ出力する。
【００４６】
再生処理部１２は、受信部１３から受けた一般送信データに含まれる音声放送領域のデータおよびデータ放送領域のデータに基づいて、たとえば音声出力を行うことにより番組の内容をユーザに提供する。また、再生処理部１２は、データ放送領域のデータからＴＴＳ広告の出力タイミング情報を取得して要求部１１へ出力する。
【００４７】
要求部１１は、再生処理部１２から受けた出力タイミング情報に基づいて、コンテンツ要求を作成してコンテンツ提供装置１０１へ送信する。
【００４８】
コンテンツ要求の示す受信機２０２の位置は、たとえば、現在位置、または一定時間後の予測位置である。また、コンテンツ要求の示すユーザ情報は、たとえば、ユーザの属性、具体的には、ユーザの年齢および性別等、受信機２０２の利用時に登録する情報である。あるいは、ユーザ情報は、たとえば、ユーザの嗜好、具体的には、聴取アプリケーションでの操作履歴、または聴取アプリケーションと他のアプリケーションとの連携等から得られる嗜好の履歴である。あるいは、ユーザ情報は、たとえば、気象アプリケーションとの連携等から得られる気象情報、すなわちユーザの現在位置の天候に関する情報である。なお、ユーザの嗜好は、事前に受信機２０２に登録される情報であってもよい。
【００４９】
また、要求部１１は、１つのコンテンツ提供装置１０１へコンテンツ要求を送信する構成に限らず、受信機２０２が連携しているアプリケーション等に応じてコンテンツ要求の送信先のコンテンツ提供装置１０１を変更する構成であってもよい。具体的には、要求部１１は、受信機２０２の聴取アプリケーションがＡ社のカーナビ用のアプリケーションと連携している場合、Ａ社、Ｂ社およびＣ社のうち、Ａ社が管理しているＴＴＳ広告を提供するコンテンツ提供装置１０１へコンテンツ要求を送信する。
【００５０】
また、要求部１１は、出力タイミングにおいて放送される予定のデフォルトのＴＴＳ広告が、受信機２０２のユーザの属性または嗜好等に合うか否かを判断し、ユーザに合うと判断した場合、当該ＴＴＳ広告を差し替える必要性が低いため、コンテンツ要求を送信しないと判断する構成であってもよい。この場合、一般送信データには、たとえば、ＴＴＳ広告の内容に加えて、当該ＴＴＳ広告の属性が含まれる。
【００５１】
再生処理部１２は、コンテンツ提供装置１０１からカスタマイズコンテンツを受信して、一般送信データに含まれるＴＴＳ広告を、当該カスタマイズコンテンツのＴＴＳ広告に差し替える差し替え処理を行う。
【００５２】
そして、再生処理部１２は、上記出力タイミングにおいて、差し替えたカスタマイズコンテンツを出力する。
【００５３】
なお、要求部１１は、今回の出力タイミングにおいて差し替えるべきコンテンツのみを要求する構成に限らず、次回の出力タイミング以降において差し替えるべきコンテンツを合わせて要求する構成であってもよい。この場合、再生処理部１２は、取得した次回の出力タイミング以降のコンテンツを保持しておく。
【００５４】
また、再生処理部１２は、コンテンツ提供装置１０１から複数のカスタマイズコンテンツが提供された場合、たとえば自己の受信機２０２の位置およびユーザ情報の少なくともいずれか一方に基づいて、出力すべきコンテンツを選択してもよい。
【００５５】
図４は、本発明の実施の形態に係るコンテンツ提供装置の構成を示す図である。
【００５６】
図４を参照して、コンテンツ提供装置１０１は、受付部１と、提供部２と、記憶部３とを備える。なお、記憶部３は、コンテンツ提供装置１０１の外部に設けられてもよい。
【００５７】
受付部１は、受信機２０２からのカスタマイズ用のコンテンツ要求を受ける。より詳細には、受付部１は、受信機２０２から通信回線を介して受信したコンテンツ要求を提供部２へ出力する。
【００５８】
提供部２は、受付部１から受けたコンテンツ要求の内容に応じてカスタマイズコンテンツを抽出し、通信回線を介して受信機２０２に提供する。
【００５９】
より詳細には、記憶部３は、種々の広告情報等のコンテンツが登録されたデータベースを記憶する。記憶部３のデータベースは、たとえばコンテンツ提供装置１０１がネットワーク１６１経由で外部から取得した情報に基づいて更新されてもよいし、固定的な情報であってもよい。
【００６０】
提供部２は、記憶部３のデータベースから、コンテンツ要求の示す受信機２０２の位置およびユーザ情報に合致するコンテンツを検索して抽出し、抽出したコンテンツを受信機２０２へ送信する。
【００６１】
具体的には、たとえば、提供部２は、コンテンツ要求の示すユーザ情報からユーザの属性または嗜好を確認し、ユーザの属性または嗜好に応じた広告情報等のコンテンツを抽出する。コンテンツ要求の示すユーザ情報は、このような属性または嗜好そのものであってもよいし、ユーザ情報が受信機２０２のＩＤであり、提供部２が何らかのデータベース等から当該ＩＤに対応する属性または嗜好を取得する構成であってもよい。また、提供部２は、コンテンツ要求の示す受信機２０２の位置を用いて、抽出したコンテンツを絞り込むことも可能である。また、提供部２は、コンテンツ要求がコンテンツの出力タイミングを示す場合、当該出力タイミングを用いて、抽出したコンテンツを絞り込むことも可能である。
【００６２】
また、提供部２は、コンテンツ要求の内容に応じたコンテンツがデータベースに存在しない場合、適切なコンテンツが存在しない旨の応答を受信機２０２へ送信してもよい。この場合、受信機２０２は、コンテンツの差し替え処理を行わず、一般送信データに含まれるコンテンツを出力する。
【００６３】
また、提供部２は、提供したコンテンツの受信機２０２ごとの履歴を保持し、あるコンテンツを提供してから所定時間または所定回数が経過するまで同じコンテンツを同じ受信機２０２に提供しない構成であってもよい。同様に、再生処理部１２は、差し替えたカスタマイズコンテンツの履歴を保持し、あるカスタマイズコンテンツを出力してから所定時間または所定回数が経過するまで同じカスタマイズコンテンツを出力しない構成であってもよい。
【００６４】
また、提供部２は、受信機２０２からコンテンツ要求が複数回送信されており、各コンテンツ要求に応じて抽出するコンテンツが所定回数または所定時間同じである場合、コンテンツの検索条件の一部を外すことにより、抽出されるコンテンツのバリエーションを広げてもよい。あるいは、提供部２は、このような場合、適切なコンテンツが存在しない旨の応答を受信機２０２へ送信してもよい。
【００６５】
図５は、本発明の実施の形態に係る放送システムの他の例の構成を示す図である。以下で説明する内容以外は放送システム３０１と同様である。
【００６６】
図５を参照して、放送システム３０２は、たとえば音声による番組をユーザに提供するシステムであり、一例としてＦＭ放送またはＡＭ放送を実現する。放送システム３０２は、コンテンツ提供装置１０１と、放送サーバ１１１と、チューナ１５２と、受信機２０２とを備える。
【００６７】
局舎側から無線送信される放送信号は、音声放送領域を有する一般送信データを含む。
【００６８】
放送サーバ１１１は、ＴＴＳ広告とＴＴＳ広告の時間帯を示す出力タイミング情報を含む番組表とをデータ放送領域に含む一般送信データをネットワーク１６１経由で受信機２０２に配信する。
【００６９】
受信機２０２は、チューナ１５２から受信した一般送信データに含まれる音声放送領域のデータ、および放送サーバ１１１から受信した一般送信データに含まれるデータ放送領域のデータに基づいて、たとえば音声出力を行うことにより番組の内容をユーザに提供する。
【００７０】
受信機２０２は、データ放送領域のデータに含まれる出力タイミング情報を用いて、指定された時間においてＴＴＳ広告の読み上げを行うことができる。なお、受信機２０２は、この出力タイミング情報を用いて、指定された時間においてＴＴＳ広告の表示を行う構成であってもよい。
【００７１】
その他の構成および動作は放送システム３０１と同様であるため、ここでは詳細な説明を繰り返さない。
【００７２】
通常の放送により提供する標準のＴＴＳ広告は、放送局として出す広告であるため「無難」な内容となる可能性が高い。
【００７３】
本発明の実施の形態に係る放送システムでは、別途サーバ等のコンテンツ提供装置１０１を準備し、ユーザの位置、嗜好、および属性等に応じたＴＴＳ広告等のコンテンツを提供する。これにより、ユーザの好みに応じたコンテンツを提供することができる。
【００７４】
なお、本発明の実施の形態に係る放送システムでは、一般送信データおよびカスタマイズコンテンツの提供元が異なる装置であるとしたが、これに限定するものではなく、一般送信データおよびカスタマイズコンテンツが１つの装置から提供される構成であってもよい。たとえば、図５に示す例では、コンテンツ提供装置１０１および放送サーバ１１１が、１つの装置で実現されてもよい。
【００７５】
また、本発明の実施の形態に係る放送システムでは、コンテンツ提供装置１０１がコンテンツ要求に応じたコンテンツを抽出する構成であるとしたが、これに限定するものではない。受信機２０２が、コンテンツ提供装置１０１を用いずに、何らかのデータベースから自己の位置およびユーザ情報に合致するコンテンツを検索して抽出し、一般送信データに含まれるＴＴＳ広告等のコンテンツを、抽出したコンテンツに差し替える差し替え処理を行う構成であってもよい。
【００７６】
また、本発明の実施の形態に係る放送システムでは、データ放送領域のデータに広告情報が含まれる構成であるとしたが、これに限定するものではない。広告情報に限らず、観光情報および気象情報等が、データ放送領域のデータに含まれ、コンテンツ提供装置１０１によってカスタマイズコンテンツとして提供され、受信機２０２において差し替えられる構成であってもよい。
【００７７】
ところで、放送波または通信回線により番組を提供するシステムにおいて、より優れたサービスを提供可能な技術が望まれる。
【００７８】
本発明の実施の形態に係るコンテンツ提供装置では、受付部１は、音声およびコンテンツを含む一般送信データを受信する受信機２０２からカスタマイズ用のコンテンツ要求を受ける。提供部２は、受付部１が受けたコンテンツ要求の内容に応じてカスタマイズ用のコンテンツを抽出し、受信機２０２に提供する。カスタマイズ用のコンテンツは、受信機２０２において一般送信データのコンテンツと差し替えられる。
【００７９】
このような構成により、音声番組の合間に提供される広告等のコンテンツを、受信機２０２に関する情報に基づいてカスタマイズすることができるため、受信機２０２ごとに適切な内容のコンテンツをユーザに提供することができる。
【００８０】
したがって、本発明の実施の形態に係るコンテンツ提供装置では、放送波または通信回線により番組を提供するシステムにおいて、より優れたサービスを提供することができる。
【００８１】
また、本発明の実施の形態に係るコンテンツ提供装置は、コンテンツ要求は、受信機２０２の位置、および受信機２０２のユーザに関する情報の少なくともいずれか一方を示す。
【００８２】
このような構成により、番組が提供される地域、当該地域の天候、ならびにユーザの性別および年齢等の属性に応じたより適切な内容のコンテンツをユーザに提供することができる。
【００８３】
また、本発明の実施の形態に係るコンテンツ提供方法では、まず、音声およびコンテンツを含む一般送信データを受信する受信機２０２からカスタマイズ用のコンテンツ要求を受ける。次に、受けたコンテンツ要求の内容に応じてカスタマイズ用のコンテンツを抽出し、受信機２０２に提供する。カスタマイズ用のコンテンツは、受信機２０２において一般送信データのコンテンツと差し替えられる。
【００８４】
このような方法により、音声番組の合間に提供される広告等のコンテンツを、受信機２０２に関する情報に基づいてカスタマイズすることができるため、受信機２０２ごとに適切な内容のコンテンツをユーザに提供することができる。
【００８５】
したがって、本発明の実施の形態に係るコンテンツ提供方法では、放送波または通信回線により番組を提供するシステムにおいて、より優れたサービスを提供することができる。
【００８６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００８７】
以上の説明は、以下に付記する特徴を含む。
【００８８】
［付記１］
音声およびコンテンツを含む一般送信データを受信する受信機からカスタマイズ用のコンテンツ要求を受ける受付部と、
前記受付部が受けた前記コンテンツ要求の内容に応じてカスタマイズ用のコンテンツを抽出し、前記受信機に提供する提供部とを備え、
前記カスタマイズ用のコンテンツは、前記受信機において前記一般送信データの前記コンテンツと差し替えられ、
前記受付部は、通信回線を介して、前記受信機から前記コンテンツ要求を受信し、
前記提供部は、通信回線を介して、抽出した前記コンテンツを前記受信機へ送信し、
前記一般送信データは、音声放送領域およびデータ放送領域を有し、前記データ放送領域に前記コンテンツのデータが含まれる、コンテンツ提供装置。
【符号の説明】
【００８９】
１  受付部
２  提供部
３  記憶部
１１  要求部
１２  再生処理部
１３  受信部
１０１  コンテンツ提供装置
１１１  放送サーバ
１５１，１５２  チューナ
１６１  ネットワーク
２０２  受信機
３０１，３０２  放送システム
【図１】
2019012959.tif 000003
【図２】
2019012959.tif 000004
【図３】
2019012959.tif 000005
【図４】
2019012959.tif 000006
【図５】
2019012959.tif 000007